【手続補正書】
【提出日】平成19年6月27日(2007.6.27)
【手続補正１】
【補正対象書類名】明細書
【補正対象項目名】特許請求の範囲
【補正方法】変更
【補正の内容】
【特許請求の範囲】
【請求項１】
複数のコンテンツ信号のうち選択指令に応答して選択されたコンテンツ信号を出力するコンテンツ出力装置に適用されるコンテンツ記録装置であって、
前記複数のコンテンツ信号を入力する入力手段、
前記選択指令を受け付ける第１受付手段、
前記入力手段によって入力された前記複数のコンテンツ信号のいずれか１つを前記第１受付手段によって受け付けた前記選択指令に応答して選択する選択手段、および
前記選択手段によって選択されたコンテンツ信号を記録媒体に記録する第１記録手段を備え、
前記記録媒体は第１領域および第２領域を含み、前記第１記録手段は前記第１領域に、前記選択されたコンテンツ信号のデータを記録し、さらに
記録指令を受け付ける第２受付手段、および
前記第２受付手段によって前記記録指令を受け付けたとき所望のコンテンツ信号のデータを前記記録媒体の前記第２領域に記録する第２記録手段を備える、コンテンツ記録装置。
【請求項２】
前記第１記録手段は前記コンテンツ信号を循環的に前記第１領域に記録する、請求項１記載のコンテンツ記録装置。
【請求項３】
前記第２記録手段によって記録が行われるとき前記第１記録手段を不能化する不能化手段をさらに備える、請求項１または２記載のコンテンツ記録装置。
【請求項４】
前記記録媒体はディスク記録媒体である、請求項１ないし３のいずれかに記載のコンテンツ記録装置。
【請求項５】
複数の番組信号のうち選択指令に応答して選択された番組信号を映すテレビジョン受像機に適用される番組録画装置であって、
前記複数の番組信号を入力する入力手段、
前記選択指令を受け付ける第１受付手段、
前記入力手段によって入力された前記複数の番組信号のいずれか１つを前記第１受付手段によって受け付けた前記選択指令に応答して選択する選択手段、および
前記選択手段によって選択された番組信号を記録媒体に記録する第１記録手段を備え、
前記記録手段は第１領域および第２領域を含み、前記第１記録手段は前記第１領域に、選択された番組信号を記録し、さらに
記録指令を受け付ける第２受付手段、および
前記第２受付手段によって前記記録指令を受け付けたとき所望の番組信号のデータを前記記録媒体の前記第２領域に記録する第２記録手段を備える、番組録画装置。
【請求項６】
ＴＶ用リモコン装置からのチャネル選択リモコン信号を受信する第１受信回路を有し、前記チャネル選択リモコン信号に応答して或る１チャネルの受信を設定するテレビジョン受像機に適用される、かつ記録媒体を有する番組記録装置であって
任意のチャネルのＴＶ番組を受信できるチューナ回路、
前記チャネル選択リモコン信号を受信する第２受信回路、
前記第２受信回路で前記チャネル選択リモコン信号を受信したとき前記チューナ回路で前記或るチャネルの受信を設定するＣＰＵ、および
前記ＣＰＵからの指令に応答して前記チューナ回路から出力される前記或るチャネルのＴＶ番組のデータを前記記録媒体に記録する記録回路を備える、番組記録装置。
【手続補正２】
【補正対象書類名】明細書
【補正対象項目名】０００５
【補正方法】変更
【補正の内容】
【０００５】
【課題を解決するための手段】
この発明は、複数のコンテンツ信号のうち選択指令に応答して選択されたコンテンツ信号を出力するコンテンツ出力装置に適用されるコンテンツ記録装置であって、複数のコンテンツ信号を入力する入力手段、選択指令を受け付ける第１受付手段、入力手段によって入力された複数のコンテンツ信号のいずれか１つを第１受付手段によって受け付けた選択指令に応答して選択する選択手段、および選択手段によって選択されたコンテンツ信号を記録媒体に記録する第１記録手段を備え、記録媒体は第１領域および第２領域を含み、第１記録手段は第１領域に、選択されたコンテンツ信号のデータを記録し、さらに記録指令を受け付ける第２受付手段、および第２受付手段によって記録指令を受け付けたとき所望のコンテンツ信号のデータを記録媒体の第２領域に記録する第２記録手段を備える、コンテンツ記録装置である。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
さらに、記録指令を受け付ける第２受付手段、および第２受付手段によって記録指令を受け付けたとき所望のコンテンツ信号を記録媒体に記録する第２記録手段をさらに備えるものとする。この場合、記録媒体は、第１記録手段による記録用の第１領域、および第２記録手段による記録用の第２領域を含むものとするのが望ましい。このようにすれば、コンテンツ出力装置から出力されているのと同じコンテンツ信号を記録媒体に記録するのとは別に、所望のコンテンツ信号を当該記録媒体に記録することができる。ただし、これらのコンテンツ信号の各々は、記録媒体内の互いに異なる領域に記録されるので、各々のコンテンツ信号が記録媒体内で互いに干渉し合うことはない。
【手続補正５】
【補正対象書類名】明細書
【補正対象項目名】００１２
【補正方法】変更
【補正の内容】
【００１２】
この発明の他の実施例では、テレビジョン放送における番組信号を記録するための番組録画装置にこの発明を適用する。すなわち、複数の番組信号のうち選択指令に応答して選択された番組信号を映すテレビジョン受像機に適用される番組録画装置であって、複数の番組信号を入力する入力手段、選択指令を受け付ける第１受付手段、入力手段によって入力された複数の番組信号のいずれか１つを第１受付手段によって受け付けた選択指令に応答して選択する選択手段、および選択手段によって選択された番組信号を記録媒体に記録する第１記録手段を備え、記録手段は第１領域および第２領域を含み、第１記録手段は第１領域に、選択された番組信号を記録し、さらに記録指令を受け付ける第２受付手段、および第２受付手段によって記録指令を受け付けたとき所望の番組信号のデータを記録媒体の第２領域に記録する第２記録手段を備える、番組録画装置にこの発明を適用する。このようにすれば、テレビジョン受像機で受信されているのと同じ番組が、記録媒体に記録される。
別の実施例の番組記録装置は、リモコンによって制御される。すなわち、この実施例の番組記録装置は、ＴＶ用リモコン装置からのチャネル選択リモコン信号を受信する第１受信回路を有し、チャネル選択リモコン信号に応答して或る１チャネルの受信を設定するテレビジョン受像機に適用される、かつ記録媒体を有する番組記録装置であって、任意のチャネルのＴＶ番組を受信できるチューナ回路、チャネル選択リモコン信号を受信する第２受信回路、第２受信回路でチャネル選択リモコン信号を受信したときチューナ回路で或るチャネルの受信を設定するＣＰＵ、およびＣＰＵからの指令に応答してチューナ回路から出力される或るチャネルのＴＶ番組のデータを記録媒体に記録する記録回路を備える、番組記録装置である。
【手続補正６】
【補正対象書類名】明細書
【補正対象項目名】００３２
【補正方法】変更
【補正の内容】
【００３２】
すなわち、ＴＶ用リモコン７０から発射されるリモコン信号７０ａは、図２に示すようにリーダコード，カスタムコードおよびデータコードという３つのコードを時系列で並べた構成とされている。これらのコードのうち、リーダコードは、受光側（テレビジョン受像機６０内の受光回路またはハードディスクビデオレコーダ１０内の受光回路２８）での受光感度を評価するためのコードであり、受光側では、このリーダコードの振幅の大小によって受光感度が十分であるか否かを判断する。そして、カスタムコードは、テレビジョン受像機６０のメーカを表し（厳密には、装置の種類（テレビジョン受像機やＶＴＲなど）をも表す。）、データコードは、ＴＶ用リモコン７０による操作内容を表す。